(57)【特許請求の範囲】
【請求項１】
支柱の延長方向に延長するように支柱の側面に設けられた１つの溝を有した第１の支柱の下端に設けられたベースプレート、又は、支柱の周方向に互いに９０度隔てた各位置において支柱の延長方向に延長するように支柱の側面に設けられた４つの溝を有した第２の支柱の下端に設けられたベースプレートを覆う同一の２つの分割体により構成されたベースプレートカバーであって、
前記分割体は、ベースプレートを覆う覆い部と、覆い部より支柱の側面に沿って立ち上がるように設けられた立ち上がり部と、立ち上がり部より支柱の中心に向けて延長するように設けられて支柱の周方向に隣り合う２つの溝を塞ぐ２つの溝塞ぎ部とを備え、
前記分割体の一方の溝塞ぎ部が平板により形成されて立ち上がり部との境界部で切断可能に構成され、かつ、前記分割体の他方の溝塞ぎ部が立ち上がり部に対して着脱可能に構成されたことを特徴とするベースプレートカバー。
【請求項２】
支柱の延長方向に延長するように支柱の側面に設けられた１つの溝を有した第１の支柱の下端に設けられたベースプレート、又は、支柱の周方向に互いに９０度隔てた各位置において支柱の延長方向に延長するように支柱の側面に設けられた４つの溝を有した第２の支柱の下端に設けられたベースプレートを覆う同一の２つの分割体により構成されたベースプレートカバーであって、
前記分割体は、ベースプレートを覆う覆い部と、覆い部より支柱の側面に沿って立ち上がるように設けられた立ち上がり部と、立ち上がり部より支柱の中心に向けて延長するように設けられて支柱の周方向に隣り合う２つの溝を塞ぐ２つの溝塞ぎ部とを備え、
前記分割体の２つの溝塞ぎ部が平板により形成されて立ち上がり部との境界部で切断可能に構成されたことを特徴とするベースプレートカバー。
【請求項３】
支柱の延長方向に延長するように支柱の側面に設けられた１つの溝を有した第１の支柱の下端に設けられたベースプレート、又は、支柱の周方向に互いに９０度隔てた各位置において支柱の延長方向に延長するように支柱の側面に設けられた４つの溝を有した第２の支柱の下端に設けられたベースプレートを覆う同一の２つの分割体により構成されたベースプレートカバーであって、
前記分割体は、ベースプレートを覆う覆い部と、覆い部より支柱の側面に沿って立ち上がるように設けられた立ち上がり部と、立ち上がり部より支柱の中心に向けて延長するように設けられて支柱の周方向に隣り合う２つの溝を塞ぐ２つの溝塞ぎ部とを備え、
前記分割体の２つの溝塞ぎ部が立ち上がり部に対して着脱可能に構成されたことを特徴とするベースプレートカバー。
【請求項４】
前記第１の支柱は、断面四角形状の支柱であって、４つの側面のうち１つの側面の幅方向中央部に支柱の延長方向に延長する溝を有し、
前記第２の支柱は、断面四角形状の支柱であって、４つの側面の幅方向中央部にそれぞれ支柱の延長方向に延長する溝を有した構成であることを特徴とする請求項１乃至請求項３のいずれか一項に記載のベースプレートカバー。
【請求項５】
請求項１乃至請求項４のいずれか一項に記載のベースプレートカバーの取付方法であって、
前記第１の支柱のベースプレートを覆うようにベースプレートカバーを取り付ける場合には、一方の分割体の２つの溝塞ぎ部の各溝塞ぎ片を除去するとともに、他方の分割体の１つの溝塞ぎ部の溝塞ぎ片を除去し、かつ、他方の分割体の他の溝塞ぎ部を当該第１の支柱の溝を塞ぐよう位置決めした後に、各分割体同士を連結するとともに、各分割体を当該第１の支柱に連結し、
前記第２の支柱のベースプレートを覆うようにベースプレートカバーを取り付ける場合には、一方の分割体の２つの溝塞ぎ部の各溝塞ぎ片が当該第２の支柱の周方向に隣り合う一方の２つの溝をそれぞれ塞ぐように位置決めし、かつ、他方の分割体の２つの溝塞ぎ部の各溝塞ぎ片が当該第２の支柱の周方向に隣り合う他方の２つの溝をそれぞれ塞ぐように位置決めした後に、各分割体同士を連結するとともに、各分割体を当該第２の支柱に連結したことを特徴とするベースプレートカバーの取付方法。
【請求項６】
請求項１又は請求項３に記載のベースプレートカバーの製造方法であって、
前記立ち上がり部に対して着脱可能な溝塞ぎ部を当該立ち上がり部と繋がった状態に製造した後に、当該立ち上がり部と繋がった溝塞ぎ部を切断することにより、前記分割体を製造したことを特徴とするベースプレートカバーの製造方法。
【発明の詳細な説明】
【技術分野】
【０００１】
本発明は、支柱の下端に設けられたベースプレートを覆うベースプレートカバー等に関する。
【背景技術】
【０００２】
屋外に構築されるデッキユニットが知られている(例えば特許文献１等参照）。
また、デッキユニットのフェンスパネルを支える支柱（以下、フェンスパネル支柱という）であって、４つの側面の幅方向中央部にそれぞれ支柱の延長方向に延長する溝を有した構成のフェンスパネル支柱を用い、互いに隣り合うように設置されたフェンスパネル支柱の互いに向かい合う側面に形成された溝内にフェンスパネルの左右両端側を挿入してフェンスを構築することも知られている(例えば特許文献２等参照）。
また、デッキへの出入口となる門扉を設ける場合に、門扉を支える支柱（以下、門扉支柱という）として、４つの側面のうち、１つの側面の幅方向中央部に支柱の延長方向に延長する溝を有した構成の門扉支柱を用いるとともに、４つの側面のうち、３つの側面の幅方向中央部にそれぞれ支柱の延長方向に延長する溝を有した構成のフェンスパネル支柱(例えば特許文献２等参照）を用い、互いに間隔を隔てて隣り合うように設置された門扉支柱の側面の一方にヒンジを介して門扉を開閉可能に取付けるとともに、互いに間隔を隔てて隣り合うように設置されたフェンスパネル支柱の互いに向かい合う側面に形成された溝内、あるいは、互いに間隔を隔てて隣り合うように設置されたフェンスパネル支柱及び門扉支柱の互いに向かい合う側面に形成された溝内にフェンスパネルの左右両端側を挿入してフェンスを構築することも知られている。
デッキに固定されるフェンスパネル支柱、あるいは、門扉支柱の下端にはベースプレートが設けられる。当該ベースプレートは、支柱の下端外周縁から外方に突出するような大きさに形成されて、例えば、支柱の下端に取付けられたベースプレートの４角部分をボルトナット等でデッキに固定することも知られている(例えば特許文献１等参照）。
また、支柱の下端外周縁から外方に突出して露出するベースプレートの露出部分を覆うベースプレートカバーを設けることも知られている。
【先行技術文献】
【特許文献】
【０００３】
【特許文献１】特開２００８−８０２６号公報
【特許文献２】特開２００２−６１４２６号公報
【発明の概要】
【発明が解決しようとする課題】
【０００４】
上述したベースプレートカバーとしては、上方から見て支柱の溝内に位置されるベースプレートの部分を覆う形状のものを用いるが、フェンスパネル支柱と門扉支柱とでは溝の数が異なるため、断面形状が異なる。従って、フェンスパネル支柱の下端に設けられたベースプレートを覆うためには、フェンスパネル支柱の４つの側面にそれぞれ形成された４つの溝内に位置されるベースプレートの部分を覆う形状のベースプレートカバーが必要となり、また、門扉支柱の下端に設けられたベースプレートを覆うためには、門扉支柱の１つの側面に形成された１つの溝内に位置されるベースプレートの部分を覆う形状のベースプレートカバーが必要となる。
即ち、従来、フェンスパネル支柱の下端に設けられたベースプレート、及び、門扉支柱の下端に設けられたベースプレートを覆うためのベースプレートカバーとして異なる形状のものを用いていたので、ベースプレートカバーの製造コストが嵩み、かつ、ベースプレートカバーの製造管理、納品時や施工時の運用管理が煩雑となってしまうといった課題があった。
本発明は、上記課題に鑑みてなされたもので、製造コストを削減でき、かつ、ベースプレートカバーの製造管理、納品時や施工時の運用管理も容易とできるベースプレートカバー等を提供する。
【課題を解決するための手段】
【０００５】
本発明に係るベースプレートカバーは、支柱の延長方向に延長するように支柱の側面に設けられた１つの溝を有した第１の支柱の下端に設けられたベースプレート、又は、支柱の周方向に互いに９０度隔てた各位置において支柱の延長方向に延長するように支柱の側面に設けられた４つの溝を有した第２の支柱の下端に設けられたベースプレートを覆う同一の２つの分割体により構成されたベースプレートカバーであって、前記分割体は、ベースプレートを覆う覆い部と、覆い部より支柱の側面に沿って立ち上がるように設けられた立ち上がり部と、立ち上がり部より支柱の中心に向けて延長するように設けられて支柱の周方向に隣り合う２つの溝を塞ぐ２つの溝塞ぎ部とを備え、前記分割体の一方の溝塞ぎ部が平板により形成されて立ち上がり部との境界部で切断可能に構成され、かつ、前記分割体の他方の溝塞ぎ部が立ち上がり部に対して着脱可能に構成されたことを特徴とする。
また、前記分割体の２つの溝塞ぎ部が平板により形成されて立ち上がり部との境界部で切断可能に構成されたものであってもよい。
また、前記分割体の２つの溝塞ぎ部が立ち上がり部に対して着脱可能に構成されたものであってもよい。
また、前記第１の支柱は、断面四角形状の支柱であって、４つの側面のうち１つの側面の幅方向中央部に支柱の延長方向に延長する溝を有し、前記第２の支柱は、断面四角形状の支柱であって、４つの側面の幅方向中央部にそれぞれ支柱の延長方向に延長する溝を有した構成であることを特徴とする。
さらに、ベースプレートカバーの取付方法は、前記第１の支柱のベースプレートを覆うようにベースプレートカバーを取り付ける場合には、一方の分割体の２つの溝塞ぎ部の各溝塞ぎ片を除去するとともに、他方の分割体の１つの溝塞ぎ部の溝塞ぎ片を除去し、かつ、他方の分割体の他の溝塞ぎ部を当該第１の支柱の溝を塞ぐよう位置決めした後に、各分割体同士を連結するとともに、各分割体を当該第１の支柱に連結し、前記第２の支柱のベースプレートを覆うようにベースプレートカバーを取り付ける場合には、一方の分割体の２つの溝塞ぎ部の各溝塞ぎ片が当該第２の支柱の周方向に隣り合う一方の２つの溝をそれぞれ塞ぐように位置決めし、かつ、他方の分割体の２つの溝塞ぎ部の各溝塞ぎ片が当該第２の支柱の周方向に隣り合う他方の２つの溝をそれぞれ塞ぐように位置決めした後に、各分割体同士を連結するとともに、各分割体を当該第２の支柱に連結したことを特徴とする。
また、ベースプレートカバーの製造方法であって、前記立ち上がり部に対して着脱可能な溝塞ぎ部を当該立ち上がり部と繋がった状態に製造した後に、当該立ち上がり部と繋がった溝塞ぎ部を切断することにより、前記分割体を製造したことを特徴とする。
【発明の効果】
【０００６】
本発明に係るベースプレートカバーによれば、２つの同一の分割体により構成されたので、１種類の分割体を製造すれば良くなるため、製造コストを削減でき、製造時や施工時の管理も容易とできるとともに、断面形状の異なる第１の支柱及び第２の支柱の下端に設けられたベースプレートを覆うことができるようになる。
また、本発明に係るベースプレートカバーの取付方法によれば、断面形状の異なる第１の支柱及び第２の支柱の下端に設けられたベースプレートを覆うことができるように、ベースプレートカバーを簡単に取付けることができる。
また、本発明に係るベースプレートカバーの製造方法によれば、１つの成型型だけでベースプレートカバーを構成する共通の分割体を製造できるようになるため、ベースプレートカバーの製造コストをより削減できるようになる。
【図面の簡単な説明】
【０００７】
【図１】（ａ）はデッキユニットの一例を示す正面図、（ｂ）は（ａ）図におけるＡ−Ａ断面図。
【図２】（ａ）は下端にベースプレートが設けられた門扉支柱を示す斜視図、（ｂ）は下端にベースプレートが設けられたフェンスパネル支柱を示す斜視図。
【図３】（ａ）は下端にベースプレートが設けられたフェンスパネル支柱と各分割体との関係を示す分解斜視図、（ｂ）は下端にベースプレートが設けられたフェンスパネル支柱のベースプレートがベースプレートカバーで覆われた状態を示す斜視図。
【図４】ベースプレートカバーの各分割体を示すベースプレートカバーの分解斜視図。
【図５】（ａ）は分割体の平面図、（ｂ）は分割体の底面図。
【図６】（ａ）は各分割体がフェンスパネル支柱のベースプレートを覆った状態を上から見た図、（ｂ）は各分割体が門扉支柱のベースプレートを覆った状態を上から見た図。
【図７】立ち上がり部に対して着脱可能な溝塞ぎ部が一体に成形された分割体の斜視図。
【図８】立ち上がり部に対して着脱可能な溝塞ぎ部が一体に成形された分割体から溝塞ぎ部を切断して立ち上がり部に取付ける手順を示す図。
【図９】分割体がベースプレートを覆うように支柱に取付けられた状態を示す断面図。
【図１０】ベースプレートカバーの各分割体の他の形態を示す斜視図。
【図１１】ベースプレートカバーの各分割体の他の形態を示す斜視図。
【発明を実施するための形態】
【０００８】
実施形態１
実施形態１によるベースプレートカバー１は、例えば、図１に示すように、屋外の床を形成するデッキ２（設置対象部）上に立設される支柱４の下端に設けられたベースプレート３を覆う部材である。
デッキ２は、土台２Ａに固定された根太受け支柱２Ｂに固定された根太２Ｃに固定されている。
【０００９】
図１，図２に示すように、支柱４は、門扉２Ｄの両側に位置される第１の支柱としての門扉支柱４Ａ及び門扉支柱４Ａ以外の第２の支柱としてのフェンスパネル支柱４Ｂである。
図２（ａ）に示すように、門扉支柱４Ａは、略断面正四角形状の支柱であって、４つの側面５，５…のうち１つの側面５の幅方向中央部に支柱の延長方向に延長する１本の溝６を有した構成である。
図２（ｂ）に示すように、フェンスパネル支柱４Ｂは、略断面正四角形状の支柱であって、４つの側面５，５…の幅方向中央部にそれぞれ支柱の延長方向に延長する溝６，６…を有した構成である。
【００１０】
図２に示すように、ベースプレート３は、支柱４の下端面に接触する支柱側接触板面３Ａと、支柱側接触板面３Ａの周囲より立ち下がるように延長してデッキ２の上面２ａと接触するデッキ側接触板面３Ｂとを備える。
支柱側接触板面３Ａは、支柱４の断面正四角形（溝６が無いと仮定した断面正四角形）と同心で当該支柱４の断面正四角形よりも一回り大きい正四角形状に形成される。
また、デッキ側接触板面３Ｂは、支柱側接触板面３Ａの正四角形と同心で当該支柱側接触板面３Ａの周囲を囲む正四角形環状面に形成される。
そして、デッキ側接触板面３Ｂの下面をデッキ２の上面２ａに接触させた状態で、図外のねじをデッキ側接触板面３Ｂの４つの角部にそれぞれ形成された取付孔３Ｓ，３Ｓ…に貫通させてデッキ２に締結することにより、ベースプレート３がデッキ２に固定される。
【００１１】
また、支柱４とベースプレート３とは、例えば、特許文献１と同じように図外の連結部材を介して連結されたり、あるいは、特許文献２に開示された補強材のような図外の補強柱を介して連結されている。即ち、支柱４が、断面正四角形環状の中空筒状に形成され、そして、この支柱４の中空部に挿入されて支柱４を補強する補強柱の下端部とデッキ２の上面２ａとの間にベースプレート３を挟んで、かつ、デッキ２の下面に配置された図外の補強柱補強下地材とデッキ２とベースプレート３と補強柱の下端部とに形成された貫通孔にボルトを貫通させて、補強柱の下端部より上方に突出するボルトの先端側にナットを締結することにより、補強柱の下端部とベースプレート３の支柱側接触板面３Ａとが接触した状態で当該補強柱とベースプレート３とがデッキ２の上面２ａに固定される。そして、補強柱が支柱４の中空部に挿入されるようにして支柱４の下端部とベースプレート３の支柱側接触板面３Ａとを接触させた状態で図外のねじを支柱４と補強柱とに貫通させて締結することにより、支柱４を補強柱に固定することで、支柱４の下端にベースプレート３が設けられ、支柱４が補強柱を介してデッキ２に固定された状態となる。
【００１２】
そして、図１に示すように、門扉支柱４Ａと門扉支柱４Ａとの間に門扉２Ｄを配置して当該門扉２Ｄを一方の門扉支柱４Ａの側面にヒンジ２Ｅなどを介して連結することで、門扉２Ｄを開閉可能に設ける。さらに、隣り合う門扉支柱４Ａとフェンスパネル支柱４Ｂとの間、及び、隣り合うフェンスパネル支柱４Ｂとフェンスパネル支柱４Ｂとの間にフェンスパネル２Ｆを設ける。この場合、フェンスパネル２Ｆの左右両端側を互いに隣り合う支柱４，４の溝６，６内に挿入して支柱に固定する。そして、支柱４の上端間をつなぐ笠木２Ｇを支柱４の上端に取り付けることで、フェンスユニットが完成する。尚、図１の２Ｈは、門扉２Ｄを開閉自在とする開閉機構である。
【００１３】
図３，図４に示すように、ベースプレートカバー１は、支柱４の周囲を囲む四角環状体を２等分した同一の２つの分割体１０，１０により構成される。
ベースプレートカバー１は、上方から見て支柱４の外周面よりはみ出すベースプレートの露出部分を覆うものである。即ち、ベースプレートカバー１は、支柱４の断面正四角形と同心で同じ正四角形状のベースプレート３の外周面と支柱４の外周面との間に位置される図２に示すベースプレート３の四角環状部分３Ｚ（溝６の支柱下端部に位置されるベースプレート部分３Ｘも含む四角環状部分）を覆うものであり、各分割体１０，１０は、支柱４に取り付けられて当該四角環状部分３Ｚを半分づつ覆うものである。
【００１４】
図４，図９に示すように、分割体１０は、ベースプレート３の四角環状部分３Ｚのうち溝６の支柱下端部に位置されるベースプレート部分３Ｘを含まない四角環状部分３Ｙ（図２参照）を覆う覆い部１１と、覆い部１１より支柱４の側面５に沿って立ち上がるように設けられた立ち上がり部１２と、立ち上がり部１２より支柱４の中心に向けて延長するように設けられて支柱４の周方向に隣り合う２つの溝６，６をそれぞれ塞ぐことで溝６の支柱下端部に位置されるベースプレート部分３Ｘを覆う２つの溝塞ぎ部１３，１４と、立ち上がり部１２の上端より支柱４の側面５に近接する位置まで延長する支柱周囲部１５と、分割体１０，１０の端部同士を連結するための連結部１６，１６と、を備える。
【００１５】
分割体１０は、図９に示すように、ベースプレート３の四角環状部分３Ｚを覆うように支柱４に取り付けられた状態において、覆い部１１は、デッキ２の上面２ａに対して垂直に立上がる垂直片１１ａと、垂直片１１ａの上端より水平に延長する水平片１１ｂとを備え、立ち上がり部１２は、当該水平部１１ｂの先端より垂直に立ち上がる垂直片により形成される。また、溝塞ぎ部１３は、立ち上がり部１２を形成する垂直片の上端より支柱４の側面５に形成された溝６の底面６ａに近接する位置まで延長する水平片により形成される。また、支柱周囲部１５は、立ち上がり部１２を形成する垂直片の上端より支柱４の側面５に近接する位置まで延長する水平片により形成される。
【００１６】
図４に示すように、分割体１０の一方の溝塞ぎ部１３は、立ち上がり部１２と一体に成形されて立ち上がり部１２の上端から支柱４の中心に向けて延長する平板（水平板）により形成され、立ち上がり部１２との境界部１３Ｘで切断可能に構成されている。
即ち、分割体１０は合成樹脂などで形成されており、分割体１０の一方の溝塞ぎ部１３と立ち上がり部１２との境界部１３Ｘに例えばカッター等の切断手段の刃を入れて一方の溝塞ぎ部１３を切断できるように構成されている。
また、分割体１０の他方の溝塞ぎ部１４は、立ち上がり部１２に対して着脱可能に構成される。この他方の溝塞ぎ部１４は、当該他方の溝塞ぎ部１４以外の部分とは別に成形される。
即ち、他方の溝塞ぎ部１４は、着脱取付部２２と重ね合されると取付片１４ａと、取付片１４ａの上端より延長する溝塞ぎ片１４ｂとを備えた構成である。
尚、図４に示す１４Ａは、取付片１４ａと溝塞ぎ片１４ｂとの境界部１４Ｘで切断して溝塞ぎ片１４ｂを除去した状態の支柱周囲部形成体を示し、当該支柱周囲部形成体１４Ａは、図６（ｂ）に示すように、門扉支柱４Ａのベースプレート３を覆う一方の分割体１０の他方の溝塞ぎ部１４の溝塞ぎ片１４ｂを切断して使用する際の形態である。
【００１７】
即ち、図４に示すように、分割体１０は、立ち上がり部１２に対して着脱可能に構成された他方の溝塞ぎ部１４と、他方の溝塞ぎ部１４以外の主要部１７とを備える。
主要部１７は、支柱４の一の側面５の幅長に対応する一辺部１８と、一辺部１８の一端より延長するように設けられた一端部１９と、一辺部１８の他端より一端部１９の延長方向と同方向に延長するように設けられた他端部２０とを備える。
分割体１０，１０の主要部１７，１７同士をねじ２５（図６;図９参照）で連結するために、一端部１９の延長方向先端部にはねじ挿入孔２１が設けられるとともに、他端部２０の延長方向先端部にはねじ挿入孔２１と重ね合されるねじ締結孔２１Ａが形成されている。
また、一端部１９の立ち上がり部１２には、立ち上がり部１２に対して着脱可能に構成された他方の溝塞ぎ部１４の取付片１４ａを連結するための着脱取付部２２が設けられる。
この主要部１７の着脱取付部２２に対して他方の溝塞ぎ部１４が着脱可能となっており、この主要部１７の着脱取付部２２と他方の溝塞ぎ部１４の取付片１４ａとには、それぞれねじ通し孔２３，２３が形成されている。
【００１８】
従って、フェンスパネル支柱４Ｂの下端に設けられたベースプレート３を覆うようにベースプレートカバー１を取り付ける場合には、まず、各分割体１０，１０の主要部１７，１７を、例えば図３（ａ）に示すようにフェンスパネル支柱４Ｂの横側から図３（ｂ）に示すようにフェンスパネル支柱４Ｂの下端側の周囲を取り囲んでかつベースプレート３を覆うように設置し、各分割体１０，１０の一方の溝塞ぎ部１３，１３をフェンスパネル支柱４Ｂの中心線を挟むように互いに向かい合う溝６，６内に挿入した状態としてから、図９に示すように、ねじ挿入孔２１にねじ２５を挿入して当該ねじ２５をねじ締結孔２１Ａに締結することで主要部１７，１７同士を連結する。
そして、各ねじ通し孔２３，２３の中心が一致するように主要部１７の着脱取付部２２と他方の溝塞ぎ部１４の取付片１４ａとを重ね合わせて他方の溝塞ぎ部１４の溝塞ぎ片１４ｂを対応する溝６に挿入した状態で、ねじ２６を着脱取付部２２及び取付片１４ａの各ねじ通し孔２３，２３に挿入してかつフェンスパネル支柱４Ｂに形成されたねじ孔２４（図９参照）に締結する。
以上により、各分割体１０，１０により構成されたベースプレートカバー１がフェンスパネル支柱４Ｂの下端に位置されるベースプレート３の露出部となる四角環状部分３Ｚを覆う状態となるようにフェンスパネル支柱４Ｂに取り付けられる（図９，図３（ｂ），図６（ａ）参照）。
【００１９】
また、門扉支柱４Ａの下端に設けられたベースプレート３を覆うようにベースプレートカバー１を取り付ける場合には、図６（ｂ）に示すように、まず、一方の溝塞ぎ部１３，１３を切断した各分割体１０，１０の主要部１７，１７を作成して、当該主要部１７，１７を、門扉支柱４Ａの横側から門扉支柱４Ａの下端側の周囲を取り囲んでかつベースプレート３を覆うように設置し、ねじ挿入孔２１にねじ２５を挿入して当該ねじ２５をねじ締結孔２１Ａに締結することで主要部１７，１７同士を連結する。
そして、一方の分割体１０の各ねじ通し孔２３，２３の中心が一致するように主要部１７の着脱取付部２２と他方の溝塞ぎ部１４の取付片１４ａとを重ね合わせて他方の溝塞ぎ部１４の溝塞ぎ片１４ｂを対応する溝６に挿入した状態としてから、ねじ２６を着脱取付部２２及び取付片１４ａの各ねじ通し孔２３，２３に挿入してかつ門扉支柱４Ａに形成されたねじ孔２４（図３（ａ），図９参照）に締結することにより、一方の分割体１０を門扉支柱４Ａに取り付ける。
さらに、図４に示した、取付片１４ａと溝塞ぎ片１４ｂとの境界部１４Ｘで切断して溝塞ぎ片１４ｂを除去した状態の支柱周囲部形成体１４Ａを作成して、他方の分割体１０の各ねじ通し孔２３，２３の中心が一致するように主要部１７の着脱取付部２２と支柱周囲部形成体１４Ａの取付片１４ａとを重ね合わせてから、ねじ２６を当該着脱取付部２２及び取付片１４ａの各ねじ通し孔２３，２３に挿入してかつ門扉支柱４Ａに形成されたねじ孔２４（図３（ａ），図９参照）に締結することにより、他方の分割体１０を門扉支柱４Ａに取り付ける。
尚、門扉支柱４Ａの下端に設けられたベースプレート３を覆うようにベースプレートカバー１を取り付ける場合においては、一方の分割体１０の一方の溝塞ぎ部１３を１つ残して、かつ、各分割体１０，１０の主要部１７，１７にそれぞれ支柱周囲部形成体１４Ａ；１４Ａを取り付けるようにしてもよい。
以上により、各分割体１０，１０により構成されたベースプレートカバー１が門扉支柱４Ａの下端に位置されるベースプレート３の露出部となる四角環状部分３Ｚを上から覆う状態となるように門扉支柱４Ａに取り付けられる（図９，図６（ｂ）参照）。
【００２０】
実施形態１のベースプレートカバー１によれば、２つの同一の分割体１０，１０により構成されたので、１種類の分割体１０を製造すれば良くなるため、製造コストを削減でき、製造時や施工時の管理も容易とできる。
また、断面形状の異なる第１の支柱及び第２の支柱の下端に設けられたベースプレート、即ち、門扉支柱４Ａの下端に設けられたベースプレート３、及び、フェンスパネル支柱４Ｂの下端に設けられたベースプレート３を覆うことができるように、ベースプレートカバー１を容易に取付けることが可能となる。
【００２１】
実施形態２
実施形態１では、立ち上がり部１２に対して着脱可能な一方の溝塞ぎ部１４と、一方の溝塞ぎ部１４以外の部分とを、別々に成形するようにしたが、図７に示すように、立ち上がり部１２に対して着脱可能な他方の溝塞ぎ部１４を立ち上がり部１２と繋がった状態に製造した後（即ち、他方の溝塞ぎ部１４と立ち上がり部１２とが繋がった状態の分割体１０Ｘを製造した後）に、図８に示すように、当該立ち上がり部１２と他方の溝塞ぎ部１４との境界部１４Ｚを切断して、立ち上がり部１２と繋がっていた他方の溝塞ぎ部１４を立ち上がり部１２から切離して、分割体１０を製造するようにしても良い。
実施形態２による、ベースプレートカバー１を構成する分割体１０の製造方法によれば、１つの成型型だけで共通の分割体１０を製造できるようになるため、ベースプレートカバー１の製造コストをより削減できるようになる。
【００２２】
実施形態３
実施形態１では、一方の溝塞ぎ部１３が平板により形成されて立ち上がり部１２との境界部１３Ｘで切断可能に構成され、かつ、他方の溝塞ぎ部１４が立ち上がり部１２に対して着脱可能に構成された２つの分割体１０，１０によりベースプレートカバー１を形成した例を示したが、図１０に示すように、２つの溝塞ぎ部１３，１３が平板により形成されて立ち上がり部１２との境界部で切断可能に構成された２つの分割体１０Ｙ，１０Ｙによりベースプレートカバー１を形成してもよい。
この場合、門扉支柱４Ａの下端に設けられたベースプレート３を覆うようにベースプレートカバー１を取り付ける場合には、一方の分割体１０Ｙの２つの溝塞ぎ部１３，１３を切断するとともに、他方の分割体１０Ｙの１つの溝塞ぎ部１３を切断して、他方の分割体の他の溝塞ぎ部を門扉支柱４Ａの溝６を塞ぐように位置決めした後に、各分割体１０Ｙ，１０Ｙ同士を連結するとともに、各分割体１０Ｙ，１０Ｙを門扉支柱４Ａに連結すればよい。
また、フェンスパネル支柱４Ｂの下端に設けられたベースプレート３を覆うようにベースプレートカバー１を取り付ける場合には、一方の分割体１０Ｙの２つの溝塞ぎ部１３，１３がフェンスパネル支柱４Ｂの周方向に隣り合う一方の２つの溝６，６をそれぞれ塞ぐよう位置決めするとともに、他方の分割体の２つの溝塞ぎ部１３，１３が支柱の周方向に隣り合う他方の２つの溝６，６をそれぞれ塞ぐよう位置決めした後に、各分割体１０Ｙ，１０Ｙ同士を連結するとともに、各分割体１０Ｙ，１０Ｙをフェンスパネル支柱４Ｂに連結すればよい。
【００２３】
実施形態４
図１１に示すように、２つの溝塞ぎ部１４，１４が立ち上がり部１２に対して着脱可能に構成された２つの分割体１０Ｚ，１０Ｚによりベースプレートカバー１を形成してもよい。
この場合、門扉支柱４Ａの下端に設けられたベースプレート３を覆うようにベースプレートカバー１を取り付ける場合には、一方の分割体１０Ｚの２つの溝塞ぎ部１４，１４の溝塞ぎ片１４ｂ，１４ｂを切断して溝塞ぎ片１４ｂを除去した状態の支柱周囲部形成体１４Ａ，１４Ａを作成して、当該支柱周囲部形成体１４Ａ，１４Ａを着脱取付部２２，２２に取付けるとともに、他方の分割体１０Ｚの１つの溝塞ぎ部１４の溝塞ぎ片１４ｂを切断した支柱周囲部形成体１４Ａを着脱取付部２２に取付けて、且つ、門扉支柱４Ａの１つの溝６を塞ぐように他方の分割体１０Ｚの他の溝塞ぎ部１４の溝塞ぎ片１４ｂを位置決めした後に、各分割体１０Ｚ，１０Ｚ同士を連結するとともに、各分割体１０Ｚ，１０Ｚを門扉支柱４Ａに連結すればよい。
また、フェンスパネル支柱４Ｂの下端に設けられたベースプレート３を覆うようにベースプレートカバー１を取り付ける場合には、一方の分割体１０Ｚの２つの溝塞ぎ部１４，１４の溝塞ぎ片１４ｂ，１４ｂがフェンスパネル支柱４Ｂの周方向に隣り合う一方の２つの溝６，６をそれぞれ塞ぐよう位置決めするとともに、他方の分割体の２つの溝塞ぎ部１４，１４の溝塞ぎ片１４ｂ，１４ｂがフェンスパネル支柱４Ｂの周方向に隣り合う他方の２つの溝６，６をそれぞれ塞ぐよう位置決めした後に、各分割体１０Ｚ，１０Ｚ同士を連結するとともに、各分割体１０Ｚ，１０Ｚをフェンスパネル支柱４Ｂに連結すればよい。
【００２４】
尚、第１の支柱としての門扉支柱４Ａは、支柱の延長方向に延長するように支柱の側面に設けられた１つの溝を有した構成の支柱であればよい。
また、第２の支柱としてのフェンスパネル支柱４Ｂは、支柱の周方向に互いに９０度隔てた各位置において支柱の延長方向に延長するように支柱の側面に設けられた４つの溝を有した構成の支柱であればよい。
即ち、門扉支柱４Ａ及びフェンスパネル支柱４Ｂは、断面円形状の支柱、断面四角形状の支柱、断面多角形状の支柱であってもよく、本発明のベースプレートカバー１は、このような断面形状の支柱の下端外周縁から外方に突出して露出するように支柱の下端に設けられたベースプレートの露出部分を覆う形状に形成されたものであればよい。
【符号の説明】
【００２５】
１  ベースプレートカバー、３  ベースプレート、４  支柱、４Ａ  門扉支柱、
４Ｂ  フェンスパネル支柱、５  側面、６  溝、１０  分割体、１１  覆い部、
１２  立ち上がり部、１３  一方の溝塞ぎ部、１４  他方の溝塞ぎ部。
【図１】
0006706058.tif 000002
【図２】
0006706058.tif 000003
【図３】
0006706058.tif 000004
【図４】
0006706058.tif 000005
【図５】
0006706058.tif 000006
【図６】
0006706058.tif 000007
【図７】
0006706058.tif 000008
【図８】
0006706058.tif 000009
【図９】
0006706058.tif 000010
【図１０】
0006706058.tif 000011
【図１１】
0006706058.tif 000012